(57)【要約】【課題】一般市販電子カメラや一般市販カメラ付き携帯電話等に容易に適用できる、画像の出力特性のばらつきや撮像素子の経年変化による影響を補正するための撮像装置用校正装置を提供する。【解決手段】携帯電話２は、撮像部２２及び文字・画像情報表示部１６を有する。校正用画像メモリ６には所定の色についての基準となる校正用画像が格納される。撮像部２２と校正用画像を表示する文字・画像情報表示部１６とを接近させて撮像部２２で表示された校正用画像を撮像して撮像画像を文字・画像情報表示部１６に表示させたときに、撮像した校正用画像が文字・画像情報表示部１６に所望の色で表示されるように制御部８は画像生成過程へ変動可能な係数又は関数を与える。【選択図】図１
2004120540.tif 000002
【特許請求の範囲】
【請求項１】
被写体を撮像して被写体の色の情報を含む信号を生成する撮像部を有すると共に当該撮像部によって撮像された画像を表示する画像表示部を有する撮像装置に用いられる撮像装置用校正装置であって、
所定の色についての基準となる校正用画像を発生させる校正用画像発生手段と、
前記撮像部と前記校正用画像とを接近させて前記撮像部で前記校正用画像を撮像して前記画像表示部に表示させたときに、前記撮像した校正用画像が前記画像表示部に所望の色で表示されるように画像生成過程へ変動可能な係数又は関数を与える制御手段と、からなる撮像装置用校正装置。
【請求項２】
前記校正用画像発生手段は、前記校正用画像を撮像中は前記校正用画像を自動的にバックライトで照らす請求項１の撮像装置用校正装置。
【請求項３】
前記撮像装置がインターネット回線に接続可能な通信手段を有する場合に、前記校正用画像発生手段は当該インターネット回線を介して校正用画像を取得することによって校正用画像を発生させることができる請求項１の撮像装置用校正装置。
【請求項４】
前記撮像装置は通算画像表示時間履歴を格納する格納部を有し、前記撮像装置用校正装置は、当該格納されている通算画像表示時間履歴から前記画像表示部における校正用画像の表示画質を自動調整して同じ画質の校正用画像が表示されるようにする画像表示部調整手段を有する請求項１の撮像装置用校正装置。
【請求項５】
被写体を撮像して被写体の色の情報を含む信号を生成する撮像部と、
前記撮像部によって撮像された画像を表示する画像表示部と、
所定の色についての基準となる校正用画像を発生させる校正用画像発生手段と、
前記撮像部と接近可能であると共に前記校正用画像を表示させる校正用画像表示部と、
前記撮像部と前記校正用画像表示部とを接近させて前記撮像部で前記校正用画像を撮像して前記画像表示部に表示させたときに、前記撮像した校正用画像が前記画像表示部に所望の色で表示されるように画像生成過程へ変動可能な係数又は関数を与える制御手段と、からなる撮像装置。
【発明の詳細な説明】
【０００１】
【発明の属する技術分野】
本発明は、撮像装置に表示される画像を適正なものに校正する撮像装置用校正装置に関する。
【０００２】
【従来の技術】
近年、カメラ付き携帯電話、カメラ付き携帯情報端末のように、カメラ付き画像表示装置が普及している。これらのカメラ付き画像表示装置では、電子カメラが一般に使用されている。電子カメラの撮像素子の出力特性においては、撮像素子の前面に配設されるカラーフィルタなどの特性が一つ一つ微妙に異なるために出来上がった電子カメラ製品一つ一つに画像の出力特性のばらつきがある。
【０００３】
その出力特性のばらつきは、高価格な電子カメラの場合などには、カメラ製造時の電子回路系の調整により吸収する場合がある。しかし、低価格電子カメラやカメラ付き携帯電話では、工数削減によるコストダウンなどの理由から、製品各々の出力特性のばらつきを補正せずに出荷される場合が多い。
【０００４】
また、高価格な電子カメラでも撮像素子のカラーフィルタの褪色による経年変化は避けられない。
【０００５】
これらの出力特性のばらつきや経年変化による影響を回路系で吸収するために、カラーチャートを撮影することによる校正も考えられるが、校正時にカラーチャートをある特定の光源で撮影する手数がかかり、一般市販電子カメラや一般市販カメラ付き携帯電話等にはこの方法は適さない。
【０００６】
一方、下記特許文献１は、電子カメラにおいて、基準となるカメラを必要とせずに、カメラ毎の操作によって容易に複数のカメラ間の色あわせを行うことができる色補正装置を開示している。しかし、この色補正装置は放送局用ビデオカメラを念頭に考えられたものであり、一般市販電子カメラや一般市販カメラ付き携帯電話にはそのまま適用することは困難である。
【０００７】
【特許文献１】
特開平１０−２８５６１０号公報
【０００８】
【発明が解決しようとする課題】
本発明は、上記の事情を考慮して、一般市販電子カメラや一般市販カメラ付き携帯電話等に容易に適用できる、画像の出力特性のばらつきや撮像素子の経年変化による影響を補正するための撮像装置用校正装置を提供することを目的とする。
【０００９】
【課題を解決するための手段】
請求項１の本発明は、被写体を撮像して被写体の色の情報を含む信号を生成する撮像部を有すると共に当該撮像部によって撮像された画像を表示する画像表示部を有する撮像装置に用いられる撮像装置用校正装置であって、
所定の色についての基準となる校正用画像を発生させる校正用画像発生手段と、
前記撮像部と前記校正用画像とを接近させて前記撮像部で前記校正用画像を撮像して前記画像表示部に表示させたときに、前記撮像した校正用画像が前記画像表示部に所望の色で表示されるように画像生成過程へ変動可能な係数又は関数を与える制御手段と、からなる撮像装置用校正装置、からなる。
【００１０】
請求項１の本発明によれば、本発明における撮像用校正装置は、撮像部が被写体を撮像して被写体の色の情報を含む信号を生成し、画像表示部が当該撮像部によって撮像された画像を表示する撮像装置に用いられる。本発明の撮像用校正装置は、校正用画像発生手段と、制御手段とからなる。校正用画像発生手段は所定の色についての基準となる校正用画像を発生させる。前記制御手段は、前記撮像部と前記校正用画像とを接近させて前記撮像部で前記校正用画像を撮像して前記画像表示部に表示させたときに、前記撮像した校正用画像が前記画像表示部に所望の色で表示されるように画像生成過程へ変動可能な係数又は関数を与える。
【００１１】
請求項２の本発明は、前記校正用画像発生手段は、前記校正用画像を撮像中は前記校正用画像を自動的にバックライトで照らす請求項１の撮像装置用校正装置、からなる。
【００１２】
請求項２の本発明によれば、前記校正用画像を撮像中は前記校正用画像が自動的にバックライトで照らされるので、校正用画像が明るくなる。
【００１３】
請求項３の本発明は、前記撮像装置がインターネット回線に接続可能な通信手段を有する場合に、前記校正用画像発生手段は当該インターネット回線を介して校正用画像を取得することによって校正用画像を発生させることができる請求項１の撮像装置用校正装置、からなる。
【００１４】
請求項３の本発明によれば、前記撮像装置の通信手段によってインターネット回線を介して校正用画像を取得することにより、前記校正用画像発生手段は校正用画像を発生させることができる。
【００１５】
請求項４の本発明は、前記撮像装置は通算画像表示時間履歴を格納する格納部を有し、前記撮像装置用校正装置は、当該格納されている通算画像表示時間履歴から前記画像表示部における校正用画像の表示画質を自動調整して同じ画質の校正用画像が表示されるようにする画像表示部調整手段を有する請求項１の撮像装置用校正装置、からなる。
【００１６】
請求項４の本発明によれば、格納されている通算画像表示時間履歴により画像表示部の画質の劣化がある程度予想できるので、前記表示部調整手段は通算画像表示時間履歴から前記画像表示部における校正用画像の表示画質を自動調整して同じ画質の校正用画像が表示されるようにできる。
【００１７】
請求項５の本発明は、被写体を撮像して被写体の色の情報を含む信号を生成する撮像部と、
前記撮像部によって撮像された画像を表示する画像表示部と、
所定の色についての基準となる校正用画像を発生させる校正用画像発生手段と、
前記撮像部と接近可能であると共に前記校正用画像を表示させる校正用画像表示部と、
前記撮像部と前記校正用画像表示部とを接近させて前記撮像部で前記校正用画像を撮像して前記画像表示部に表示させたときに、前記撮像した校正用画像が前記画像表示部に所望の色で表示されるように画像生成過程へ変動可能な係数又は関数を与える制御手段と、からなる撮像装置、からなる。
【００１８】
請求項５の本発明によれば、校正用画像発生手段が校正用画像を発生させ、その校正用画像を校正用画像表示部が表示させ、撮像部と校正用画像表示部とを接近させることによって前記撮像部で前記校正用画像を撮像する。撮像した校正用画像は画像生成過程を経て画像表示部に表示される。制御手段は、前記撮像した校正用画像が前記画像表示部に所望の色で表示されるように画像生成過程へ変動可能な係数又は関数を与える。
【００１９】
【発明の実施の形態】
以下、添付図面に従って、本発明を適用した携帯電話の実施の形態について詳説する。
【００２０】
図１は携帯電話２の構成を示すブロック図である。
【００２１】
携帯電話２は、現在位置認識部４、校正用画像メモリ６、制御部８、メモリ１０、画像補正処理部１２、通信データ入出力部１４、文字・画像情報表示部１６、テンキー等ボタンインターフェース（Ｉ／Ｆ）、電話部２０、撮像部２２、からなり、これらがバスで接続されている。画像補正処理部１２と撮像部２２とを合わせて電子カメラ部２３とする。
【００２２】
現在位置認識部４は、携帯電話の現在の位置を認識するところであり、例えば、ＧＰＳ（全地球測位システム）衛星からの電波を受信して現在位置を認識する。
【００２３】
校正用画像メモリ６は、後述する校正用画像を格納している。
【００２４】
制御部８は、携帯電話２を統括制御するＣＰＵである。制御部８は、パワー電源、テンキー等ボタンから受け入れする入力信号に基づいて、対応する回路の動作を制御し、文字・画像情報表示部１６における表示の制御、ストロボ発光制御、オートフォーカス（ＡＦ）制御、自動露出（ＡＥ）制御、ホワイトバランス制御、画像補正制御、等を行う。
【００２５】
メモリ１０は、各種システムプログラム、登録済み電話番号、登録済みメールアドレス、受信済みメッセージ、着信記録、撮影済み画像等の他、通算画像表示時間を記憶している。
【００２６】
画像補正処理部１２は、撮像部２２で撮影した画像の補正処理（ホワイトバランス補正、フレア補正など）を行う。
【００２７】
通信データ入出力部１４は、電話回線、インターネット回線との接続を行うことが可能で、外部端末への電話、メール、画像付きメール等の発信機能、外部端末からの電話、メール、画像付きメール等の受信機能を有する。
【００２８】
文字・画像情報表示部１６は、電話、メールに関する文字情報や撮影済み画像、受信した画像についての画像情報を表示し、液晶ディスプレイ（ＬＣＤ）が用いられることが多い。
【００２９】
テンキー等ボタンインターフェース（Ｉ／Ｆ）１８は、テンキー、スクロールバーなどの入力要素のインターフェースであり、入力情報を受け付ける。
【００３０】
電話部２０は、電話に関する機能を有している。
【００３１】
撮像部２２は、撮像に関する機能を有しており、ＣＣＤ２４、Ａ／Ｄ変換部２６などを有している。
【００３２】
図２は電子カメラ部２３の構成を示すブロック図である。
【００３３】
電子カメラ部２３は、ＣＣＤ２４、Ａ／Ｄ変換部２６、ホワイトバランス部２８、リニアマトリックス３０、フレア補正部３２、γ変換部３４、輝度・色差
信号変換部３６、色差マトリックス３８、圧縮部４０、キャリブレーション制御部４２からなる。
【００３４】
カメラレンズを介して撮影された画像情報が撮像素子としてのＣＣＤに入射し、電気信号に変えられる。その画像情報としての電気信号がＡ／Ｄ変換部２６でデジタルデータに変換される。画像情報についての変換されたデジタルデータは、ホワイトバランス部２８でホワイトバランス調整される。一方、変換されたデジタルデータは、キャリブレーション制御部４２にも入力されて撮像素子であるＣＣＤ２４の状態に関する情報が伝達されるようになっている。
【００３５】
ホワイトバランス調整された後、画像情報はリニアマトリックス３０で色再現される。リニアマトリックスの式は次のごとくである。
【００３６】
【数１】
2004120540.tif 000003
右側のＲ、Ｇ、Ｂがリニアマトリックス３０のイン（入力側）になり、左側のＲ、Ｇ、Ｂがリニアマトリックス３０のアウト（出力側）になる。この式においては、ａ１１＋ａ１２＋ａ１３＝１．０，　ａ２１＋ａ２２＋ａ２３＝１．０，　ａ３１＋ａ３２＋ａ３３＝１．０　を満足させる。
【００３７】
その後、画像情報はフレア補正部３２でフレア補正され、画像のシャープさが保たれるようにする。
【００３８】
その後、画像情報はγ（ガンマ）変換部３４でガンマ変換される。
【００３９】
ガンマ変換された画像情報は、輝度・色差信号変換部３６でＲ、Ｇ、Ｂの三原色データからＹ（輝度）信号、ＣｒＣｂ（色差）信号に変換される。変換式は一般に次式が使用される。
【００４０】
【数２】
2004120540.tif 000004
その後、画像情報は色差マトリックス３８で色差調整が行われる。色差マトリックスの式は次のとおりである。
【００４１】
【数３】
2004120540.tif 000005
右側のＣｒ、Ｃｂが色差マトリックス３８のイン（入力側）になり、左側のＣｒ、Ｃｂが色差マトリックス３８のアウト（出力側）になる。
【００４２】
色差調整が行われた画像情報は、圧縮部４０で圧縮処理される。
【００４３】
撮像素子についてキャリブレーション（表示色の最適化）を行う場合は、撮像部２２で図３に示すような校正用画像を撮影する。図３は本実施の形態で使用する校正用画像である。この校正用画像は縦７色、横４色の合計２８色のパッチからなり、横４色は、白・グレイ・肌色系統、青系統、緑系統、赤系統の各系統から構成されている。校正用画像を表示させる文字・画像情報表示部１６である液晶ディスプレイ（後述）にこの校正用画像を表示させ、表示された校正用画像を撮影レンズ（後述）で撮影し、ＣＣＤ２４に画像情報を入射させることによって、撮影レンズ、ＣＣＤ２４、Ａ／Ｄ変換部２６などの撮像素子が作成する明るさ、色調、シャープネス等を最適なものにする。
【００４４】
この校正用画像は複数の色を有するので、複数の色を同時に撮影することによって画像生成過程での各要素での目標値とのずれを認識し、マトリックス等で補正する。この目標値は予めメモリ１０に格納されている。キャリブレーションを行う場合は、携帯電話に設けられたキャリブレーション用ボタンを操作する。キャリブレーション用ボタンを操作すると、校正用画像表示用の液晶ディスプレイのバックライトが自動的に点灯し、校正用画像が所定の液晶ディスプレイに表示される。そして、撮影レンズが液晶ディスプレイに表示された校正用画像を撮影する。撮像中はバックライトが点灯している。撮像が終了すると自動的にバックライトが消灯する。
【００４５】
キャリブレーション制御部４２は、ホワイトバランス部２８、リニアマトリックス３０、フレア補正部３２、γ変換部３４、色差マトリックス３８に接続している。Ａ／Ｄ変換部２６でデジタルデータに変換された画像情報がキャリブレーション制御部４２にも入力される。キャリブレーション制御部４２は入力された画像情報から撮像素子であるＣＣＤ２４の状態を把握して、画像生成過程の上記各要素２８、３０、３２、３４、３８で各目標値を達成するための最適な制御値を演算する。
【００４６】
演算した制御値の制御信号がホワイトバランス部２８へ発せられる。同様に、リニアマトリックス３０にも演算した制御値の制御信号が発せられる。制御値としては、例えば、次の数値式があげられる。
【００４７】
【数４】
2004120540.tif 000006
右側のＲ、Ｇ、Ｂがリニアマトリックス３０のイン（入力側）になり、左側のＲ、Ｇ、Ｂがリニアマトリックス３０のアウト（出力側）になる。この式の３×３のマトリックスの部分が制御係数となり、この係数をインのＲ、Ｇ、Ｂの値次第でその都度最適な値に設定してアウト側で所定のＲ、Ｇ、Ｂの値が出力されるようにする。インのＲ、Ｇ、Ｂの値は、撮像素子であるＣＣＤの固体性能の違いや経時変化等により、その都度ばらつくためである。
【００４８】
キャリブレーション制御部４２で演算された制御値の制御信号は、フレア補正部３２へ発せられ、目標値への最適なフレア補正がされる。
【００４９】
同様に、キャリブレーション制御部４２で演算された制御値の制御信号は、γ変換部３４へ発せられ、目標値への最適なγ変換がされる。
【００５０】
色差マトリックス３８にもキャリブレーション制御部４２で演算された制御値の制御信号が発せられる。制御値としては、例えば、次の数値式があげられる。
【００５１】
【数５】
2004120540.tif 000007
右側のＣｒ、Ｃｂが色差マトリックス３８のイン（入力側）になり、左側のＣｒ、Ｃｂが色差マトリックス３８のアウト（出力側）になる。この式の２×２のマトリックスの部分が制御係数となり、この係数をインのＣｒ、Ｃｂの値次第でその都度最適な値に設定してアウト側で所定のＣｒ、Ｃｂの値が出力されるようにする。インのＣｒ、Ｃｂの値は、撮像素子であるＣＣＤの固体性能の違いや経時変化等により、その都度ばらつくからである。
【００５２】
なお、校正用画像は、インターネット回線から通信データ入出力部１４を介して入手することもできる。すなわち、撮像装置を製造したメーカー等がその撮像装置に合った校正用画像をインターネット回線を通じて配信することができる。ユーザは適切な校正用画像をその都度インターネット回線を通じて更新することができる。
【００５３】
また、メモリ１０には通算画像表示時間が記憶されているので、この通算画像表示時間を基に校正用画像の表示画質を自動調整することができる。校正用画像を表示する文字・画像情報表示部１６（特に、液晶ディスプレイ）の経年変化や固体別の相違により、表示上の校正用画像に変化をきたすことがあるので、いつも同じ画質の校正用画像を表示させて撮影レンズにより撮像させようとするものである。こうすれば、いつも均一の校正用画像からキャリブレーションが行えるので、キャリブレーションが確実に効果的にできる。
【００５４】
撮像部２２での校正用画像の撮影は、撮像部２２を校正用画像に近づけて行う。例えば、撮影レンズを校正用画像が表示される液晶ディスプレイに近づけて撮影する。このため、携帯電話の構造としては、図４〜図８に示すものが考えられる。
【００５５】
図４（ａ）は携帯電話５２の斜視図、図４（ｂ）は携帯電話５２の上蓋５４の背面図である。携帯電話５２は、基台５６及び上蓋５４からなり、基台５６の内側にはテンキーが配設されていて、上蓋５４の内側には液晶ディスプレイ５８が配設されている。上蓋５４の裏側には撮影レンズ６２が取り付けられている。基台５６と上蓋５４とは、ヒンジ５３で接続されており、互いに近づく方向へ回動可能になっている。上蓋５４はヒンジの中央点を中心に基台５６に対して上蓋の表裏が逆になる方向に回転可能になっている。回転した結果、上蓋５４の裏面が基台５６と向かい合うようになった場合に、上蓋５４と基台５６との少なくとも一方が互いに向かい合う方向に回動した結果、撮影レンズ６２が基台５６に面する当該基台部分にはサブ液晶ディスプレイ６０が設けられている。
【００５６】
これにより、サブ液晶ディスプレイ６０に校正用画像を表示させて撮影レンズ６２でその校正用画像を撮影することができる。液晶ディスプレイ５８には一般の文字や画像を表示させる。
【００５７】
図５（ａ）は携帯電話６４の斜視図、図５（ｂ）は携帯電話６４の基台６８の背面図である。携帯電話６４は、基台６８及び上蓋６６からなり、基台６８の内側にはテンキーが配設されていて、上蓋６６の内側には液晶ディスプレイ７０が配設されている。基台６８と上蓋６６とは、ヒンジ６５で接続されており、互いに近づく方向へ回動可能になっている。基台６８のヒンジ６５に近い部分にはレンズダイヤル７４がヒンジ６５と平行な軸を回転中心に回転可能に構成されており、レンズダイヤル７４の中には撮影レンズ７６が設けられている。したがって、レンズダイヤル７４を回転させることにより、撮影レンズ７６の向きも変わる。上蓋６６と基台６８との少なくとも一方が互いに向かい合う方向に回動した結果、撮影レンズ７６が上蓋６６に面する上蓋の液晶ディスプレイ７０の当該部分にはキャリブレーションパターン表示エリア７２が設けられている。
【００５８】
これにより、キャリブレーションパターン表示エリア７２に校正用画像を表示させて撮影レンズ７６でその校正用画像を撮影することができる。撮影レンズ７６で一般対象物を撮影するときには、レンズダイヤル７４を回転させて撮影レンズ７６を外側に向ける。
【００５９】
図６（ａ）は携帯電話７８を開いた状態の斜視図、図６（ｂ）は携帯電話７８を折りたたんだ状態の斜視図である。携帯電話７８は、基台８２及び上蓋８０からなり、基台８２の内側にはテンキー及び撮影レンズ８６が配設されていて、上蓋８０の内側には液晶ディスプレイ８４が配設されている。基台８２と上蓋８０とは、ヒンジ７９で接続されており、一方が他方に対してほぼ３６０°回動可能になっている。上蓋８０と基台８２とを互いに近づける方向に少なくともどちらかを回動させた結果、撮影レンズ８６が対面する液晶ディスプレイ８４の部分には校正用画像が表示されるようになっている。
【００６０】
当該液晶ディスプレイ８４の部分に校正用画像を表示させて撮影レンズ８６でその校正用画像を撮影することができる。携帯電話７８は、図６（ａ）の開いた状態ではテレビ電話として使用でき、図６（ｂ）の折りたたんだ状態では撮影レンズ８６が外側を向いて撮影画像を撮影レンズ８６とは反対側の液晶ディスプレイ８４で表示できるのでデジタルカメラとして使用できる。
【００６１】
図７（ａ）は携帯電話８８を開いた状態の斜視図、図７（ｂ）は携帯電話８８をテンキー側とは逆向きに折りたたみかけた状態の斜視図である。携帯電話８８は、基台９２及び上蓋９０からなり、基台９２の内側にはテンキーが配設されていて、上蓋９０の内側には液晶ディスプレイ９４が配設されている。基台９２と上蓋９０とは、ヒンジ８９で接続されており、一方が他方に対してほぼ３６０°回動可能になっている。基台９２の、テンキーとは反対側の面には撮影レンズ９８が設けられており、上蓋９０の、液晶ディスプレイ９４と反対側にはサブ液晶ディスプレイ９６が設けられている。撮影レンズ９８とサブ液晶ディスプレイ９６とを近づける方向に上蓋９０と基台９２とを回動させると、撮影レンズ９８がサブ液晶ディスプレイ９６に対面するように撮影レンズ９８とサブ液晶ディスプレイ９６とが配置されている。サブ液晶ディスプレイ９６には校正用画像が表示される。
【００６２】
上述の構成の結果、サブ液晶ディスプレイ９６に校正用画像を表示させれば撮影レンズ９８でその校正用画像を撮影することができる。
【００６３】
図８（ａ）は着脱カメラ１０８を定位置に取り付けた状態の携帯電話１００の開いた状態の斜視図、図８（ｂ）は着脱カメラ１０８を基台１０４内側に取り付けた状態の携帯電話１００の開いた状態の斜視図である。携帯電話１００は、基台１０４及び上蓋１０２からなり、基台１０４の内側にはテンキーが配設されていて、上蓋１０２の内側には液晶ディスプレイ１０６が配設されている。基台１０４と上蓋１０２とは、ヒンジ１０１で接続されており、互いに近づく方向へ回動可能になっている。上蓋１０２の、ヒンジ１０１とは反対側の端部には着脱カメラ１０８がそこが定位置として取り付けられている。着脱カメラ１０８は、定位置からはずすこともでき、図８（ｂ）に示すように基台１０４の内側に５箇所取り付け可能箇所がある。着脱カメラ１０８の底部には接続ピン（図示せず）が設けられており、上蓋１０２の定位置及び基台１０４の前記取り付け可能箇所には当該接続ピンの受け入れ部が設けられ、接続ピンをピン受け入れ部に差し込むことによって着脱カメラ１０８の撮影画像が携帯電話１００本体に伝達されるようになっている。着脱カメラ１０８を基台１０４のどこかの取り付け可能箇所に取り付けた状態で、上蓋１０２と基台１０４との少なくとも一方が互いに向かい合う方向に回動した結果、撮影レンズ９８が上蓋１０２の液晶ディスプレイ１０６に対面する。液晶ディスプレイ１０６のどこかの箇所には校正用画像が表示される。
【００６４】
これにより、携帯電話１００が閉じた状態で撮影レンズ９８が校正用画像が表示されている箇所に対応するように撮影レンズ９８を設置すれば、撮影レンズ９８で校正用画像を撮影することができる。
【００６５】
上述のように、撮像部２２での校正用画像の撮影は、撮像部２２を校正用画像に近づけて行うことができ、簡単に撮像素子のキャリブレーションを行うことができる。
【００６６】
【発明の効果】
請求項１の本発明によれば、校正用画像を撮像して画像表示部に所望の色で校正用画像が表示されるように画像生成過程へ変動可能な係数又は関数を与えるので、画像生成過程の質をチェックして修正することができ、表示される画像を所望の色にすることができる。
【００６７】
請求項２の本発明によれば、前記校正用画像を撮像中は前記校正用画像が自動的にバックライトで照らされるので、校正用画像の撮像が確実に鮮明に行われる。
【００６８】
請求項３の本発明によれば、インターネット回線を介して校正用画像を取得することができるので、業者側は撮像装置に合った校正用画像をインターネット回線を介して配信することができ、ユーザ側も手軽に校正用画像を入手することができ、事後的に撮像装置の固体ばらつきを補正することが容易となる。
【００６９】
請求項４の本発明によれば、前記画像表示部において同じ画質の校正用画像が表示されるようにできるので、画像表示部の経年・経時変化にもかかわらずいつでも同じ画質の校正用画像が表示されるようにすることができる。
【００７０】
請求項５の本発明によれば、校正用画像を撮像して画像表示部に所望の色で校正用画像が表示されるように画像生成過程へ変動可能な係数又は関数を与えるので、撮像装置において画像生成過程の質をチェックして修正することができ、表示される画像を所望の色にすることができる。
【図面の簡単な説明】
【図１】携帯電話の構成を示すブロック図。
【図２】電子カメラ部の構成を示すブロック図。
【図３】校正用画像を示した図。
【図４】（ａ）は携帯電話の斜視図、（ｂ）は携帯電話の上蓋の背面図。
【図５】（ａ）は携帯電話の斜視図、（ｂ）は携帯電話の基台の背面図。
【図６】（ａ）は携帯電話を開いた状態の斜視図、（ｂ）は携帯電話を折りたたんだ状態の斜視図。
【図７】（ａ）は携帯電話を開いた状態の斜視図、（ｂ）は携帯電話をテンキー側とは逆向きに折りたたみかけた状態の斜視図。
【図８】（ａ）は着脱カメラを定位置に取り付けた状態の携帯電話の開いた状態の斜視図、（ｂ）は着脱カメラを基台内側に取り付けた状態の携帯電話の開いた状態の斜視図。
【符号の説明】
２…携帯電話、６…校正用画像メモリ、８…制御部、１０…メモリ、１２…画像補正処理部、１４…通信データ入出力部、１６…文字・画像情報表示部、２２…撮像部、２３…電子カメラ部、２４…ＣＣＤ、２６…Ａ／Ｄ変換部、２８…ホワイトバランス部、３０…リニアマトリックス、３２…フレア補正部、３４…γ変換部、３８…色差マトリックス、４２…キャリブレーション制御部、５２…携帯電話、５４…上蓋、５６…基台、５８…液晶ディスプレイ、６０…サブ液晶ディスプレイ、６２…撮影レンズ、６４…携帯電話、６６…上蓋、６８…基台、７０…液晶ディスプレイ、７２…キャリブレーションパターン表示エリア、７４…レンズダイヤル、７６…撮影レンズ、７８…携帯電話、８０…上蓋、８２…基台、８４…液晶ディスプレイ、８６…撮影レンズ、８８…携帯電話、９０…上蓋、９２…基台、９４…液晶ディスプレイ、９６…サブ液晶ディスプレイ、９８…撮影レンズ、１００…携帯電話、１０２…上蓋、１０４…基台、１０６…液晶ディスプレイ、１０８…着脱カメラ
【図１】
2004120540.tif 000008
【図２】
2004120540.tif 000009
【図３】
2004120540.tif 000010
【図４】
2004120540.tif 000011
【図５】
2004120540.tif 000012
【図６】
2004120540.tif 000013
【図７】
2004120540.tif 000014
【図８】
2004120540.tif 000015